(57)【要約】【課題】簡単な構造ながら、オフシーズンにはヒータユニット内への埃の侵入を防止でき、且つヒータユニットの不用意な動作を阻止して安全な使用が可能な電気こたつを提供する。【解決手段】電気こたつ１は、互いに平行な支持フレーム２１ａ等を有する外枠体２と、支持フレーム２１ａ等の内側に被支持フレーム３１ａ等を有する内枠体３と、支持フレーム２１ａ等と被支持フレーム３１ａ等に直交する回転軸心４１１を中心とした一周方向回転により、第１重複位置４１３と第２重複位置４１４との間を、被支持フレーム３１ａ等を自在に回転させる回転構造部４１、被支持フレーム３１ａ等の周方向揺動で被支持フレーム３１ａを支持フレーム２１ａに係合させる係合構造部４２、及び被支持フレーム３１ｂと支持フレーム２１ｂを連結させる連結構造部４３を有し、外枠体２と内枠体３との間に介設される回転連結構造４とを備える。【選択図】図１
2018185073.tif 000002
【特許請求の範囲】
【請求項１】
脚部によって支持されると共に、互いに平行な一対の長尺な支持フレームを有する外枠体と、
前記一対の支持フレームの内側にあって、該各支持フレームに平行な一対の長尺な被支持フレームを有し、内部にヒータユニットを取り付ける内枠体と、
前記一対の支持フレームと前記一対の被支持フレームに直交する回転軸心を中心とした一周方向回転により、前記一対の被支持フレームを前記回転軸心の軸心方向視で前記一対の支持フレームに重複させる第１重複位置と、該第１重複位置から前記回転軸心を中心とした１８０度の逆周方向回転により、前記軸心方向視で前記一対の被支持フレームを前記一対の支持フレームに重複させる第２重複位置との間を、前記一対の被支持フレームを自在に回転させる回転構造部、前記一対の被支持フレームの所定の周方向揺動により所定の前記被支持フレームを所定の前記支持フレームに係合させる係合構造部、および該係合構造部による係合状態で所定の前記被支持フレームと所定の前記支持フレームを連結させて連結状態とする連結構造部を有すると共に、前記外枠体と前記内枠体との間に介設される回転連結構造とを備える
電気こたつ。
【請求項２】
前記係合構造部に、
互いに対向する一対の前記支持フレームと前記被支持フレームのうちの一方のフレームから他方のフレームに向けて突出する単一の係合ピンと、
該他方のフレームの両長尺辺のうちの一方の長尺辺であって、前記係合ピンと係合可能な周方向一側に開口されると共に、前記回転軸心を挟んで長手方向前後にあって、同回転軸心から等距離位置に配置される溝状の一対のピン受けとが形成される
請求項１に記載の電気こたつ。
【請求項３】
前記連結構造部に、
互いに対向する一対の前記支持フレームと前記被支持フレームのうちの一方のフレームが穿孔されて成る単一の第１連結孔と、
該一方のフレームに対向する他方のフレームで、前記第１重複位置および前記第２重複位置における前記第１連結孔と略同一軸心上で穿孔されると共に、前記第１連結孔から突出する連結具の先端を挿入可能な一対の第２連結孔とが形成される
請求項１または請求項２に記載の電気こたつ。
【請求項４】
前記係合構造部は、
互いに対向する一対の前記支持フレームと前記被支持フレームの側に配置される一方、
前記連結構造部は、
互いに対向する他対の前記支持フレームと前記被支持フレームの側に配置される
請求項１、請求項２または請求項３に記載の電気こたつ。
【請求項５】
前記ピン受けは、
前記係合ピンと係合する開口から該開口よりも周方向奥側に向かうにつれて溝幅が狭くなるテーパ構造を有する
請求項２、請求項３または請求項４に記載の電気こたつ。
【請求項６】
前記第２連結孔に、
内壁に雌ネジが刻設された雌ネジ部と、
該雌ネジ部内につながると共に同雌ネジ部とは反対側の外方に向けて内径が拡大するロート状の斜面部が、前記第２連結孔の所定の軸心方向長さにわたって形成され、該斜面部に、雄ネジが形成された棒状の前記連結具の先端を摺動させることにより、該先端を前記雌ネジ部内まで導くガイド部とが形成される
請求項３、請求項４または請求項５に記載の電気こたつ。
【請求項７】
前記第１重複位置および前記第２重複位置において、
前記係合状態にある一対の前記支持フレームと前記被支持フレームに形成された前記係合ピン、前記ピン受け、および、前記連結状態にある他対の前記支持フレームと前記被支持フレームに形成された前記第１連結孔、前記第２連結孔は、前記回転軸心に略平行な所定の軸心上に配置される
請求項３、請求項４、請求項５、または請求項６に記載の電気こたつ。
【発明の詳細な説明】
【技術分野】
【０００１】
本発明は、電気こたつに関する。更に詳しくは、簡単な構造でありながら、電気こたつを使用する冬以外の季節（春夏秋等を意味し、以下「オフシーズン」とする）においてヒータユニット内への埃の侵入を防止できると共に、ヒータユニットの不用意な動作を阻止して安全な使用が可能な電気こたつに関する。
【背景技術】
【０００２】
従来、電気こたつは、オフシーズンには分解等されて押し入れや倉庫等に収納されていたが、集合住宅等における収納スペースの少なさから、オフシーズンにも収納せずに通常のテーブルとして使用する生活スタイルが一般化しつつある。このため、近年に製造販売される電気こたつは、リビングテーブル等として違和感が少ない家具調デザインのものが主流となっており、通年使用されているケースが多く見受けられる。
【０００３】
ところで、このような電気こたつを通年使用する場合、ヒータユニット内への埃の侵入が問題となる。ヒータユニット内へ埃が侵入すると、冬に本来の電気こたつとして使用する際に、ヒータユニットによって埃が加熱されて不快な焦げ臭を発し、故障あるいは火災の原因ともなりうるからである。このような埃の問題の対策として、オフシーズンにはヒータユニットを取り外しておく方法も考えられるが、着脱作業が面倒であり、従前の電気こたつと同様に収納場所を必要とすることとなる。
【０００４】
そこで、下記非特許文献１に記載されているような構造の電気こたつが提案されており、この電気こたつ９の構成を図６（ａ）、（ｂ）および（ｃ）に示す。この電気こたつ９は、図６（ａ）に示すように、ヒータユニット９５がそれを収める枠体（以下、「内枠体」とする）９６と一緒に回転可能な構造に設けてあり、オフシーズンには、ヒータユニット９５を回転させてヒータユニット９５の輻射面を上方に向け、その上面を天板９０１で覆うことにより、埃の侵入を防止できるようにしている。
【０００５】
そして、このような電気こたつ９におけるヒータユニット９５の回転停止構造には、凸状の係合部であるラッチ９１と凹状の係合部であるラッチ受け９２とから成るラッチ構造９３を採用している（図６（ｂ）（ｃ）参照）。
【先行技術文献】
【非特許文献】
【０００６】
【非特許文献１】国産家具メーカー、カリモク家具公式サイト  家具修理  修理事例  こたつヒーターの修理  中天板枠回転タイプ、格子回転タイプ  インターネット＜http://www.karimoku.co.jp/repair/jirei_kotatsu.html＞
【発明の概要】
【発明が解決しようとする課題】
【０００７】
このようなラッチ構造９３においては、内枠体９６は、一般に特定の回転方向（以下、「正回転方向」とする）９７にのみ何回も回転可能としている。詳しくは、内枠体９６が正回転方向９７に回転すると、その外周端がラッチ９１の先部の曲面９１ａを押動するようにして、同ラッチ９１が径方向外側に押し込まれ、更に回転すると、内蔵するバネの弾性力によってラッチ９１の先部がラッチ受け９２内に突出し、これにより、ラッチ９１とラッチ受け９２とが係合して内枠体９６の回転が停止する（図６（ｃ）参照）。なお、内枠体９６が、前述の正回転方向と逆の回転方向（以下、「逆回転方向」とする）９８に回転しようとしても、その外周端がラッチ９１の先部の垂直面９１ｂに当接されるため、内枠体９６はそれ以上回転できない。
【０００８】
しかしながら、前述したラッチ９１とラッチ受け９２とによる係合力は小さいため、例えば、利用者が、ヒータユニット９５を正回転方向９７に押動可能な部位に誤って手を置くと、利用者の意図しない回転力がヒータユニット９５に発生し、ヒータユニット９５とその支持部材との間に手が挟まれたり、ヒータユニット９５を収めていた空間内に手が落ち込むと共に跳ね上がったヒータユニット９５やその内枠体９６の側縁部が体に打ち付けられたりするおそれがある。
【０００９】
本発明は、以上の点を鑑みて創案されたものであり、簡単な構造でありながら、オフシーズンにおいてヒータユニット内への埃の侵入を防止できると共に、ヒータユニットの不用意な動作を阻止して安全な使用が可能な電気こたつを提供することを目的とする。
【課題を解決するための手段】
【００１０】
上記の目的を達成するために本発明の電気こたつは、脚部によって支持されると共に、互いに平行な一対の長尺な支持フレームを有する外枠体と、一対の支持フレームの内側にあって、各支持フレームに平行な一対の長尺な被支持フレームを有し、内部にヒータユニットを取り付ける内枠体と、一対の支持フレームと一対の被支持フレームに直交する回転軸心を中心とした一周方向回転により、一対の被支持フレームを回転軸心の軸心方向視で一対の支持フレームに重複させる第１重複位置と、第１重複位置から回転軸心を中心とした１８０度の逆周方向回転により、軸心方向視で一対の被支持フレームを一対の支持フレームに重複させる第２重複位置との間を、一対の被支持フレームを自在に回転させる回転構造部、一対の被支持フレームの所定の周方向揺動により所定の被支持フレームを所定の支持フレームに係合させる係合構造部、および係合構造部による係合状態で所定の被支持フレームと所定の支持フレームを連結させて連結状態とする連結構造部を有すると共に、外枠体と内枠体との間に介設される回転連結構造とを備える。
【００１１】
そして、脚部によって支持されると共に、互いに平行な一対の長尺な支持フレームを有する外枠体を備えるので、外枠体とこれを支持する脚部とからなる、所謂「こたつやぐら」において、後述する内枠体を介してヒータユニットを取り付けることができる。なお、「支持フレーム」とは、枠状に形成したもののほか、板体の中央部分に所要形状（矩形や円形等）に形成された開口部の縁部分およびその近傍を含むものであってもよく、ヒータユニットを取り付けた内枠体を自在に回動させて係止可能なものであれば特には限定されない。
【００１２】
更に、一対の支持フレームの内側にあって、各支持フレームに平行な一対の長尺な被支持フレームを有し、内部にヒータユニットを取り付ける内枠体を備えるので、オフシーズンには、被支持フレームと一緒にヒータユニットを回転させてヒータユニットの輻射面を上方に向け、その上面を天板で覆うようにして埃の侵入を防止しつつ、通常のテーブルとして使用することができる。
【００１３】
加えて、回転連結構造が、一対の支持フレームと一対の被支持フレームに直交する回転軸心を中心とした一周方向回転により、一対の被支持フレームを回転軸心の軸心方向視で一対の支持フレームに重複させる第１重複位置と、第１重複位置から回転軸心を中心とした１８０度の逆周方向回転により、軸心方向視で一対の被支持フレームを一対の支持フレームに重複させる第２重複位置との間を、一対の被支持フレームを自在に回転させる回転構造部を有するので、第１重複位置と第２重複位置のうちの一方位置でヒータユニットの輻射面が下面を向くように、被支持フレームの角度調整をしておくだけで、被支持フレームを他方位置まで回転させると輻射面が確実に上面を向くようにすることができ、ヒータユニットの使用時と収納時との間の回転操作が迅速に行え、電気こたつの通年使用が容易となる。
【００１４】
更に、回転連結構造が、一対の被支持フレームの所定の周方向揺動により所定の被支持フレームを所定の支持フレームに係合させる係合構造部を有するので、ヒータユニットの輻射面が下面位置または上面位置となる位置にて、被支持フレームの回転動作を仮停止することができる。
【００１５】
加えて、回転連結構造が、係合構造部による係合状態で所定の被支持フレームと所定の支持フレームを連結させて連結状態とする連結構造部を有するので、ヒータユニットの輻射面が下面位置または上面位置となる位置に、被支持フレームを固定して回転動作を完全停止することができ、たとえ、利用者が、使用時と収納時に内枠体やヒータユニットに誤って手を置いても、利用者の意図しない回転力がヒータユニットに発生することがなく、内枠体と外枠体等との間に手が挟まれたり、ヒータユニットを取り付けた内枠体を収めていた空間内に手が落ち込むと共に跳ね上がったヒータユニットや内枠体の側縁部が体に打ち付けられたりすることを確実に防止することができる。
【００１６】
ここで、「係合状態」とは、一対の被支持フレームの所定の周方向揺動によって、所定の被支持フレームが所定の支持フレームに係合している状態を意味している。また、「連結状態」とは、前述の係合状態において、所定の被支持フレームと所定の支持フレームが連結している状態を意味している。
【００１７】
以上のような構成により、簡単な構造でありながら、夏等のオフシーズンにおいてヒータユニットへの埃の防止できると共に、ヒータユニットの不用意な動作を阻止して安全な使用が可能なものとなっている。
【００１８】
また、係合構造部に、互いに対向する一対の支持フレームと被支持フレームのうちの一方のフレームから他方のフレームに向けて突出する単一の係合ピンと、他方のフレームの両長尺辺のうちの一方の長尺辺であって、係合ピンと係合可能な周方向一側に開口されると共に、回転軸心を挟んで長手方向前後にあって、回転軸心から等距離位置に配置される溝状の一対のピン受けとが形成される場合は、係合構造部が、互いに向かい合う位置に設けられた係合ピンとピン受けとの組み合わせという簡単な構成でありながら、前述した被支持フレームと支持フレームとの両重複位置において、被支持フレームの回転動作を仮停止することができ、部品数が少なくなって部品コストの低減やメンテナンス性の向上を図ることができる。
【００１９】
また、連結構造部に、互いに対向する一対の支持フレームと被支持フレームのうちの一方のフレームが穿孔されて成る単一の第１連結孔と、一方のフレームに対向する他方のフレームで、第１重複位置および第２重複位置における第１連結孔と略同一軸心上で穿孔されると共に、第１連結孔から突出する連結具の先端を挿入可能な一対の第２連結孔とが形成される場合は、連結構造部が、第１連結孔と第２連結孔との組み合わせからなる簡単な構成でありながら、前述した被支持フレームと支持フレームとの両重複位置において、略同一軸心上にある第１連結孔と第２連結孔に連結具（例えば、棒状のもの）を挿入することにより、被支持フレームを固定して回転動作を完全停止することができ、部品数が少なくなって部品コストの低減やメンテナンス性の向上を図ることができる。
【００２０】
また、係合構造部が、互いに対向する一対の支持フレームと被支持フレームの側に配置される一方、連結構造部が、互いに対向する他対の支持フレームと被支持フレームの側に配置される場合は、係合構造部と連結構造部が反対側に配置されていることとなり、係合構造部と連結構造部を同じ側に配置する場合と比較し、配置可能な空間に余裕が生じ、配置位置に関する設計の自由度が高く、かつ加工が容易となる。
【００２１】
また、ピン受けが、係合ピンと係合する開口から開口よりも周方向奥側に向かうにつれて溝幅が狭くなるテーパ構造を有する場合は、ピン受けが同一幅な溝部であるのに対し、ピン受けの入口部分の幅が係合ピンの径よりも大きいため、テーパ部の長手方向中心軸心と係合ピンの中心軸心が一致せずに少々ずれていても、係合ピンをピン受け内に導入させて係合させることができる。
【００２２】
また、第２連結孔に、内壁に雌ネジが刻設された雌ネジ部と、雌ネジ部内につながると共に同雌ネジ部とは反対側の外方に向けて内径が拡大するロート状の斜面部が、第２連結孔の所定の軸心方向長さにわたって形成され、斜面部に、雄ネジが形成された棒状の連結具の先端を摺動させることにより、先端を雌ネジ部内まで導くガイド部とが形成される場合は、第１重複位置および第２重複位置において第１連結孔と第２連結孔が同一軸心上でなく少々ずれていたり、連結具の先端が雌ネジ部の開口から少々ずれたりした際にも、第２連結孔が前述の構成を有することによって、連結具の先端を雌ネジ部内に導入させて係合させることができる。
【００２３】
なお、雌ネジ部は、ガイド部に形成された斜面部を介して挿入される連結具の外周面の雄ネジと螺合しており、雌ネジ部に対し連結具は着脱可能に取り付けられている。
【００２４】
更に、ガイド部が、前述の構成を有することによって、斜面部の外端縁から内端縁との間に、連結具の先端を沿わせるのに充分な大きさの摺動面を確保することができる。しかも、連結具の先端が、急角度で摺動して雌ネジ部の内部に衝突したり、摺動面途中で拡径した部分に係止されたりするのを確実に防止することができ、連結具の先端を、雌ネジ部内に向かって斜面部上を滑らかに摺動させて精度良く導くことができる。
【００２５】
つまり、前述の構成を有する第２連結孔であれば、連結具を螺挿する際に、第２連結孔の開口位置を目視で確認する必要がなく、作業効率の向上や作業負荷の軽減を図ることができる。加えて、連結具の先端が斜面部に沿って摺動するようにし、徐々に雌ネジ部内まで精度良く移動させることで、雌ネジ部の軸心に対する連結具の心ずれを抑制し、各ネジ山の損傷や使用中の連結具の脱落を確実に防止することができる。
【００２６】
また、第１重複位置および前記第２重複位置において、係合状態にある一対の支持フレームと被支持フレームに形成された係合ピン、ピン受け、および、連結状態にある他対の支持フレームと被支持フレームに形成された第１連結孔、第２連結孔が、回転軸心に略平行な所定の軸心上に配置される場合は、内枠体の回転運動によって生じる回転力を支持フレームと被支持フレームの両方で均等に受けることができ、支持フレームと被支持フレームの両方への応力が均等に分散し、この応力による支持フレームと被支持フレームの両方の歪みを小さくし、各部材の寿命を大きく向上させることができる。
【発明の効果】
【００２７】
本発明の電気こたつは、簡単な構造でありながら、夏等のオフシーズンにおいてヒータユニット内への埃の侵入を防止できると共に、ヒータユニットの不用意な動作を阻止して安全な使用が可能なものとなっている。
【図面の簡単な説明】
【００２８】
【図１】本発明の電気こたつを示す分解斜視図である。
【図２】図１に示す電気こたつの回転連結構造の回転構造部と係合構造部を示しており、（ａ）はヒータユニットの輻射面が下方を向いた状態（第１重複位置）を示すと共に、一周方向回転を矢印で示した説明図、（ｂ）はヒータユニットの輻射面が上方を向いた状態（第２重複位置）を示す説明図である。
【図３】図１の電気こたつの回転連結構造を示しており、（ａ）は底面側から見た回転連結構造であり、外枠体を実線で、内枠体およびヒータユニットを想像線で示す底面図、（ｂ）は外枠体のみを上方から見た斜視図である。
【図４】図１に示す電気こたつの内枠体を示しており、（ａ）は第２連結孔が形成された側を前面側に示す斜視図、（ｂ）はピン受けが形成された側を前面側に示す斜視図であり、（ｃ）はピン受けの変形例１を示す側面図である。
【図５】図１に示す電気こたつの連結構造部の平面一部断面図である。
【図６】従来の電気こたつを示し、（ａ）は従来の電気こたつの分解斜視図、（ｂ）は（ａ）のラッチ構造部分の拡大斜視図、（ｃ）はヒータユニットと内枠体の回転方向を矢印で示す内枠体近傍の側面一部断面図である。
【発明を実施するための形態】
【００２９】
図１ないし図５を参照して、本発明の実施の形態を更に詳細に説明する。なお、各図における符号は、煩雑さを軽減し理解を容易にする範囲内で付している。
【００３０】
電気こたつ１は、天板１０１を上面に載置すると共に脚部１１を四隅から垂下する外枠体２と、ヒータユニット３９を取り付けた内枠体３と、内枠体３と外枠体２との間に介設される回転連結構造４とを有している。各部については以下で詳述する。
【００３１】
（外枠体）
外枠体２は、平面視長方形に設けられた外形枠１０２と、この内側の領域に、外形枠１０２の長辺と平行に設けられた一対の中桟枠１０３ａと、外形枠１０２の短辺と平行に設けられた中桟枠１０３ｂとから構成され、この一対の中桟枠１０３ｂの長手方向略中央部に、互いに平行な一対の長尺な支持フレーム２１ａ、２１ｂが設けられている。外枠体２は、前述した脚部１１によって支持され、これら外枠体２と脚部１１とからなる、所謂「こたつやぐら」には、後述する内枠体３を介してヒータユニット３９を取り付けることができる。
【００３２】
（内枠体）
内枠体３は、一対の支持フレーム２１ａ、２１ｂの内側にあって、各支持フレーム２１ａ、２１ｂに平行な一対の長尺な被支持フレーム３１ａ、３１ｂを有し、内部にヒータユニット３９が取り付けられている。この内枠体３を備えることによって、オフシーズンには、被支持フレーム３１ａ、３１ｂと一緒にヒータユニット３９を回転させてヒータユニット３９の輻射面３９１を上方に向け、その上面を天板１０１で覆うようにして埃の侵入を防止しつつ、通常のテーブルとして使用することができる。
【００３３】
本実施の形態において、内枠体３は、被支持フレーム３１ａと３１ｂの長手方向一端側を連結する横架フレーム３２ａと、被支持フレーム３１ａと３１ｂの長手方向他端側を連結する横架フレーム３２ｂを有している。この横架フレーム３２ａ、３２ｂを有することによって、被支持フレーム３１ａ、３１ｂが各々平行に保持されると共に、被支持フレーム３１ａ、３１ｂと協働してヒータユニット３９の側部の四辺を囲んで、ヒータユニット３９をしっかりと保持できる。加えて、本実施の形態において、内枠体３は、輻射面３９１と反対側に蓋板３９２が取り付けられている。この蓋板３９２を有することによって、ヒータユニット３９において輻射面３９１の反対側に位置する部分を覆って保護する。
【００３４】
（回転連結構造）
回転連結構造４は、外枠体２と内枠体３との間に介設され、回転構造部４１、係合構造部４２、および連結構造部４３を有し、各構造部については、以下説明する。
【００３５】
回転構造部４１は、一対の支持フレーム２１ａ、２１ｂと一対の被支持フレーム３１ａ、３１ｂに直交するように設けた一対の回転軸ピン４１０の回転軸心４１１を中心とした一周方向回転により、一対の被支持フレーム３１ａ、３１ｂを回転軸心４１１の軸心方向視（図２参照）で、一対の支持フレーム２１ａ、２１ｂに重複させる第１重複位置４１３と、第１重複位置４１３から回転軸心４１１を中心とした１８０度の逆周方向回転９９により、軸心方向視で、一対の被支持フレーム３１ａ、３１ｂを一対の支持フレーム２１ａ、２１ｂに重複させる第２重複位置４１４との間を、一対の被支持フレーム３１ａ、３１ｂを自在に回転させるようにしてある。
【００３６】
前述の通り、回転連結構造４が、第１重複位置４１３と第２重複位置４１４との間で一対の被支持フレーム３１ａ、３１ｂを自在に回転させるようにしていることによって、第１重複位置４１３でヒータユニット３９の輻射面３９１が下面を向くように、被支持フレーム３１ａ、３１ｂの角度調整をしておくだけで、被支持フレーム３１ａ、３１ｂを第２重複位置４１４まで回転させると輻射面３９１が確実に上面を向くようにすることができ、ヒータユニット３９の使用時と収納時との間の回転操作が迅速に行え、電気こたつ１の通年使用が容易となる。
【００３７】
係合構造部４２は、一対の被支持フレーム３１ａ、３１ｂの所定の周方向揺動により、所定の被支持フレーム３１ａを所定の支持フレーム２１ａに係合させるようにしている。この係合構造部４２を有することによって、ヒータユニット３９の輻射面３９１が下面位置または上面位置となる位置にて、被支持フレーム３１の回転動作を仮停止することができる。
【００３８】
本実施の形態において、係合構造部４２は、１本の係合ピン４２１と、溝状の一対のピン受け４２２の組み合わせである。係合ピン４２１は、支持フレーム２１ａの内辺側に形成され、被支持フレーム３１ａに向けて突出している。そして、一対のピン受け４２２は、この被支持フレーム３１ａの両長尺辺のうちで、係合ピン４２１と係合可能な周方向一側の長尺辺３１ａ１に開口されると共に、回転軸心４１１を挟んで長手方向前後にあって、回転軸心４１１から等距離位置に配置されている。
【００３９】
前述の係合構造部４２は、互いに向かい合う位置に設けられた係合ピン４２１とピン受け４２２との組み合わせという簡単な構成でありながら、前述した被支持フレーム３１ａと支持フレーム２１ａとの両重複位置（図２（ａ）で示す第１重複位置４１３および図２（ｂ）で示す第２重複位置４１４）において、被支持フレーム３１ａの回転動作を仮停止することができ、部品数が少なくなって部品コストの低減やメンテナンス性の向上を図ることができる。
【００４０】
なお、本実施の形態において、係合構造部４２は、支持フレーム２１ａと被支持フレーム３１ａからなる一対側にしか設けられていないが、これに限定するものではなく、例えば、支持フレーム２１ｂと被支持フレーム３１ｂからなる他対側に設けることもできる。
【００４１】
更に、本実施の形態のピン受け４２２の変形例１として、図４（ｃ）に示すピン受け４２２ａのように、係合ピン４２１と係合する開口４２２ａ１から周方向奥側に向かうにつれて溝幅が狭くなるテーパ構造４２２ａ２を設けるようにしてもよい。ピン受けがテーパ構造４２２ａ２を有することによって、同一幅な溝部であるピン受け４２２の場合とは異なり、ピン受け４２２ａの入口部分の幅が係合ピン４２１の径よりも大きいため、テーパ部の長手方向中心軸心と係合ピン４２１の中心軸心が一致せずに少々ずれていても、係合ピン４２１をピン受け４２２ａ内に導入させて係合させることができる。また、ピン受け４２２ａを、長手方向奥側を狭幅部として、係合ピン４２１が抜けにくいように係合させることもできる。
【００４２】
連結構造部４３は、係合構造部４２によって係合状態で、所定の被支持フレーム３１ｂと所定の支持フレーム２１ｂを連結させて連結状態とするようにしてある（図３（ａ）、図５参照）。この連結構造部４３を有することによって、ヒータユニット３９の輻射面３９１が下面位置または上面位置となる位置に、被支持フレーム３１ａ、３１ｂを固定して回転動作を完全停止させることができ、たとえ、利用者が、使用時と収納時に内枠体３やヒータユニット３９に誤って手を置いても、利用者の意図しない回転力がヒータユニット３９に発生することがなく、内枠体３と外枠体２等との間に手が挟まれたり、ヒータユニット３９を取り付けた内枠体３を収めていた空間内に手が落ち込むと共に跳ね上がったヒータユニット３９や内枠体３の側縁部が体に打ち付けられたりすることを確実に防止することができる。
【００４３】
本実施の形態において、連結構造部４３は、支持フレーム２１ｂが穿孔されてなる単一の第１連結孔４３１と、被支持フレーム３１ｂで、第１重複位置４１３および第２重複位置４１４における第１連結孔４３１と略同一軸心上で穿孔されると共に、第１連結孔４３１から突出する連結具５の先端５１を挿入可能な一対の第２連結孔４３２の組み合わせにより構成されている（図５参照）。
【００４４】
連結構造部４３は、第１連結孔４３１と第２連結孔４３２との組み合わせからなる簡単な構成でありながら、前述した被支持フレーム３１ｂと支持フレーム２１ｂとの両重複位置（図２（ａ）で示す第１重複位置４１３および図２（ｂ）で示す第２重複位置４１４）において、略同一軸心上にある第１連結孔４３１と第２連結孔４３２に連結具５を挿入することによって、被支持フレーム３１ｂを固定して回転動作を完全停止させることができ、部品数が少なくなって部品コストの低減やメンテナンス性の向上を図ることができる。
【００４５】
なお、本実施の形態において、連結構造部４３は、支持フレーム２１ｂの第１連結孔４３１と被支持フレーム３１ｂの第２重複位置４１４における第２連結孔４３２の組み合わせからなる一対側にしか設けられていないが、これに限定するものではなく、例えば、支持フレーム２１ａと被支持フレーム３１ａからなる他対側に設けることもできる。
【００４６】
本実施の形態において、連結構造部４３の第２連結孔４３２は、被支持フレーム３１ｂの内辺側に設けた雌ネジ部４３３と、被支持フレーム３１ｂの外辺側に形成されたガイド部４３５を有している（図５参照）。
【００４７】
雌ネジ部４３３は、内壁に雌ネジ４３４が刻設された部品である。なお、本実施の形態では、雌ネジ部４３３は、雌ネジ４３４が刻設されたＴナット４３９を第２連結孔４３２に嵌挿することで構成されている（図５参照）。
【００４８】
ガイド部４３５は、雌ネジ部４３３内につながる斜面部４３６を有している。斜面部４３６は、雌ネジ部４３３とは反対側の外方に向けて内径が拡大するロート状であり、第２連結孔４３２の所定の軸心方向長さにわたって形成されている。そして、斜面部４３６は、雄ネジ５１１が形成された棒状の連結具５の先端５１を斜面部４３６に摺動させることにより、先端５１を雌ネジ部４３３内まで導くことができように構成されている（図５参照）。
【００４９】
第２連結孔４３２は、前述のガイド部４３５を備えることによって、図２（ａ）で示す第１重複位置４１３および図２（ｂ）で示す第２重複位置４１４において、第１連結孔４３１と第２連結孔４３２が同一軸心上でなく少々ずれていたり、連結具５の先端５１が雌ネジ部４３３の開口から少々ずれたりした際にも、連結具５の先端５１を雌ネジ部４３３内に導入させて係合させることができる。
【００５０】
なお、雌ネジ部４３３は、ガイド部４３５に形成された斜面部４３６を介して挿入される連結具５の外周面の雄ネジ５１１と螺合しており、雌ネジ部４３３に対し連結具５は着脱可能に取り付けられている。
【００５１】
更に、ガイド部４３５が、前述の構成を有することによって、斜面部４３６の外端縁から内端縁との間に、連結具５の先端を沿わせるのに充分な大きさの摺動面を確保することができる。しかも、連結具５の先端５１が、急角度で摺動して雌ネジ部４３３の内部に衝突したり、摺動面途中で拡径した部分に係止されたりするのを確実に防止することができ、連結具５の先端５１を、雌ネジ部４３３内に向かって斜面部４３６上を滑らかに摺動させて精度良く導くことができる。
【００５２】
つまり、前述の構成を有する第２連結孔４３２であれば、連結具５を螺挿する際に、第２連結孔４３２の開口位置を目視で確認する必要がなく、作業効率の向上や作業負荷の軽減を図ることができる。加えて、連結具５の先端５１が斜面部４３６に沿って摺動するようにし、徐々に雌ネジ部４３３内まで精度良く移動させることで、雌ネジ部４３３の軸心に対する連結具５の芯ずれを抑制し、各ネジ山の損傷や使用中の連結具５の脱落を確実に防止することができる。
【００５３】
本実施の形態では、係合構造部４２が、互いに対向する一対の支持フレーム２１ａと被支持フレーム３１ａの側に配置されており、連結構造部４３が、互いに対向する他対の支持フレーム２１ｂと被支持フレーム３１ｂの側に配置されている（図３（ａ）、図４（ａ）、（ｂ）参照）。このように、係合構造部４２と連結構造部４３が反対側に配置されていることによって、係合構造部４２と連結構造部４３を同じ側に配置する場合と比較して配置可能な空間に余裕が生じ、配置位置に関する設計の自由度が高く、かつ加工が容易となる。
【００５４】
更に、本実施の形態では、図２（ａ）で示す第１重複位置４１３および図２（ｂ）で示す第２重複位置４１４において、係合状態にある一対の支持フレーム２１ａと被支持フレーム３１ａに形成された係合ピン４２１、ピン受け４２２、および、連結状態にある他対の支持フレーム２１ｂと被支持フレーム３１ａに形成された第１連結孔４３１、第２連結孔４３２は、図３（ａ）に示すように、回転軸心に略平行な所定の軸心４１１ａ、４１１ｂ上に配置されている。これにより、内枠体３の回転運動によって生じる回転力をフレーム２１ａ、３１ａや、フレーム２１ｂ、３１ｂで均等に受けることができ、フレーム２１ａ、３１ａや、フレーム２１ｂ、３１ｂへの応力が均等に分散し、この応力によるフレーム２１ａ、３１ａや、フレーム２１ｂ、３１ｂの歪みを小さくし、各部材の寿命を大きく向上させることができる。
【００５５】
以上のような構成により、本発明の電気こたつ１は、夏等のオフシーズンにおいてヒータユニット３９への埃の防止できると共に、ヒータユニット３９の不用意な動作を阻止して安全な使用が可能なものとなっている。
【００５６】
本明細書および特許請求の範囲で使用している用語と表現は、あくまでも説明上のものであって、なんら限定的なものではなく、本明細書および特許請求の範囲に記述された特徴およびその一部と等価の用語や表現を除外する意図はない。また、本発明の技術思想の範囲内で、種々の変形態様が可能であるということは言うまでもない。また、第一、第二などの言葉は、等級や重要度を意味するものではなく、一つの要素を他の要素から区別するために使用したものである。
【符号の説明】
【００５７】
１    電気こたつ
１０１    天板
１０２    外形枠
１０３ａ、１０３ｂ    中桟枠
１１    脚部
２    外枠体
２１ａ、２１ｂ    支持フレーム
３    内枠体
３１ａ、３１ｂ    被支持フレーム
３１ａ１    長尺辺
３２ａ、３２ｂ    横架フレーム
３９    ヒータユニット
３９１    輻射面
３９２    蓋板
４    回転連結構造
４１    回転構造部
４１０    回転軸ピン
４１１    回転軸心
４１１ａ、４１１ｂ    軸心
４１３    第１重複位置
４１４    第２重複位置
４２    係合構造部
４２１    係合ピン
４２２    ピン受け
４２２ａ    ピン受け
４２２ａ１    開口
４２２ａ２    テーパ構造
４３    連結構造部
４３１    第１連結孔
４３２    第２連結孔
４３３    雌ネジ部
４３４    雌ネジ
４３５    ガイド部
４３６    斜面部
４３９    Ｔナット
５    連結具
５１    先端
５１１    雄ネジ
９    電気こたつ
９０１    天板
９１    ラッチ
９１ａ    曲面
９１ｂ    垂直面
９２    ラッチ受け
９３    ラッチ構造
９５    ヒータユニット
９６    内枠体
９７    正回転方向
９８    逆回転方向
９９    逆周方向回転
【図１】
2018185073.tif 000003
【図２】
2018185073.tif 000004
【図３】
2018185073.tif 000005
【図４】
2018185073.tif 000006
【図５】
2018185073.tif 000007
【図６】
2018185073.tif 000008